(57)【要約】【課題】廃棄しても自然分解されて環境を損なう心配が無く、単なる木片に比べてカビ害や虫害が発生し難く、取り扱いに便利な片状構造体を提供すること。【解決手段】厚さが０．１ｃｍ〜０．３ｃｍの平板状の木片１と、穀類を原料とし、木片１の表面に積層されたポリ乳酸層２とを備える。ポリ乳酸層２の表面に食品用包装紙を積層したり、木片１の表面に耐熱性を有する高分子重合体層を積層し、さらにその表面にポリ乳酸層２及び食品用包装紙を積層することもある。【選択図】図１
0003138598.tif 000002
【実用新案登録請求の範囲】
【請求項１】
厚さが０．１ｃｍ〜０．３ｃｍの平板状の木片と、穀類を原料とし、前記木片の表面に積層されたポリ乳酸層とを備えたことを特徴とする片状構造体。
【請求項２】
前記ポリ乳酸層が前記木片の片面又は両面に積層されている請求項１に記載の片状構造体。
【請求項３】
厚さが０．１ｃｍ〜０．３ｃｍの平板状の木片と、穀類を原料とし、前記木片の表面に積層されたポリ乳酸層と、該ポリ乳酸層の表面に積層された食品用包装紙とを備えたことを特徴とする片状構造体。
【請求項４】
前記ポリ乳酸層及び食品用包装紙が前記木片の片面又は両面に積層されている請求項３に記載の片状構造体。
【請求項５】
厚さが０．１ｃｍ〜０．３ｃｍの平板状の木片と、該木片の表面に積層された耐熱性を有する高分子重合体層と、穀類を原料とし、前記高分子重合体層の表面に積層されたポリ乳酸層と、該ポリ乳酸層の表面に積層された食品用包装紙とを備えたことを特徴とする片状構造体。
【請求項６】
前記高分子重合体層、ポリ乳酸層及び食品用包装紙が前記木片の片面又は両面に積層されている請求項５に記載の片状構造体。
【考案の詳細な説明】
【技術分野】
【０００１】
本考案は、容器等の素材として好適なポリ乳酸層と木片とから成る片状構造体に関する。
【背景技術】
【０００２】
現在、食品容器の材質としてＰＥ（ポリエチレン）を用いるのが一般的である。ＰＥは高分子重合体の一種であって、自然分解できないため、環境保護の面で重大な問題となっている。  
資源が徐々に枯渇しつつあり、環境保護に対する意識が高まっている昨今、生態系に悪影響を与えず、再生可能な素材を使用することは、現在の趨勢となっており、ＰＥの大量消費には改善が求められている。
【０００３】
一方、環境に優しい素材として木片を用いた容器が古くから知られているが、カビが生えたり、虫害が発生し易いという欠点がある。  
また、木片を素材とした容器は保存上問題があり、中に入れた食品にも衛生面での影響がある。さらに、このような容器は、防油・防水性能が劣るため、調理済みの食品を入れると染みてべたつきやすく、取り扱いに不便である。
【考案の開示】
【考案が解決しようとする課題】
【０００４】
本考案が解決しようとする課題は、廃棄しても自然分解されて環境を損なう心配が無く、単なる木片に比べてカビ害や虫害が発生し難く、取り扱いに便利な片状構造体を提供することにある。
【課題を解決するための手段】
【０００５】
本考案の片状構造体は、厚さが０．１ｃｍ〜０．３ｃｍの平板状の木片と、穀類を原料とし、前記木片の表面に積層されたポリ乳酸層とを備える。  
前記ポリ乳酸層は前記木片の片面又は両面に積層されている。  
また、本考案の片状構造体は、厚さが０．１ｃｍ〜０．３ｃｍの平板状の木片と、穀類を原料とし、前記木片の表面に積層されたポリ乳酸層と、該ポリ乳酸層の表面に積層された食品用包装紙とを備えることがある。  
前記ポリ乳酸層及び食品用包装紙が前記木片の片面又は両面に積層されている。
【０００６】
さらに、本考案の片状構造体は、厚さが０．１ｃｍ〜０．３ｃｍの平板状の木片と、該木片の表面に積層された耐熱性を有する高分子重合体層と、穀類を原料とし、前記高分子重合体層の表面に積層されたポリ乳酸層と、該ポリ乳酸層の表面に積層された食品用包装紙とを備えることもある。  
前記高分子重合体層、ポリ乳酸層及び食品用包装紙が前記木片の片面又は両面に積層されている。
【考案の効果】
【０００７】
本考案の片状構造体は、廃棄しても微生物によって自然分解されるので、環境を破壊したり、生態系に悪影響を与えるおそれが無い。  
また、木と、主として農産物を原料とするポリ乳酸を素材としているので、分解後は、大地に吸収されて肥料としても機能し、石油資源の浪費を抑制することができる。  
さらに、木片にポリ乳酸層を積層してあるので、強度が増すだけでなく、木粉の残留、カビや虫の発生を防ぐことができ、防水性・防油性が増して、衛生上も好ましい。  
【考案を実施するための最良の形態】
【０００８】
図１は、本考案の実施例１を示す。  
本実施例の片状構造体は、平板状の木片１と、木片１の片面に積層したポリ乳酸（ＰＬＡ；Ｐｏｌｙ  Ｌａｃｔｉｃ  Ａｃｉｄ）層２とを備える。  
木片１は、ポプラ、樺、ＦＡＬＣＡＴＡ（豆科の木）等の木材から形成され、０．１ｃｍ〜０．３ｃｍの厚みを有する。  
ポリ乳酸層２は、穀類を原料とし、微生物が分解可能なポリ乳酸を、用途に応じて所定の厚みに形成して成り、加熱しながら加圧して木片１の片面に圧着してある。
【０００９】
図２は、本考案の実施例２を示す。  
本実施例の片状構造体は、木片１の両面にポリ乳酸層２を積層してあるほかは、実施例１と同様の構造を備える。  
実施例１及び実施例２では、木片１の表面にポリ乳酸層２を積層してあるので、木片１が裂け難くなり、防水・防油性が高まる。
【００１０】
図３は、本考案の実施例３を示す。
本実施例の片状構造体は、厚みが０．１ｃｍ〜０．３ｃｍの平板状の木片１と、木片１の片面に積層したポリ乳酸層２と、ポリ乳酸層２の表面に積層した食品用包装紙３とを備える。  
食品用包装紙３は、食品を直接包装しても、食品が有害物質で汚染されることの無い衛生的な紙であり、加熱しながら加圧してポリ乳酸層２の表面に圧着してある。  
その他の構成は、実施例１と同様である。
【００１１】
図４は、本考案の実施例４を示す。  
この片状構造体は、木片１の両面に、加熱・加圧によりポリ乳酸層２を積層し、さらにポリ乳酸層２の表面に、加熱・加圧により食品用包装紙３を積層してある。  
その他の構成は、実施例３と同様である。  
実施例３及び４では、実施例１及び２の効果に加えて、食品に接触した時の衛生面での安全性が増す。
【００１２】
図５は、本考案の実施例５を示す。  
本実施例の片状構造体は、厚みが０．１ｃｍ〜０．３ｃｍの平板状の木片１と、木片１の片面に積層した耐熱性を有する高分子重合体層４と、高分子重合体層４の表面に積層したポリ乳酸層２と、ポリ乳酸層２の表面に積層した食品用包装紙３とを備える。  
高分子重合体層４は、加熱・加圧して木片１の表面に圧着してある。  
その他の構成は、実施例３と変わるところは無い。
【００１３】
図６は、本考案の実施例６を示す。  
片状構造体は、木片１の両面に耐熱性を有する高分子重合体層４を積層し、高分子重合体層４の表面にポリ乳酸層２を積層し、ポリ乳酸層２の表面に食品用包装紙３を積層して成る。  
その他の構成は、実施例５と同様である。  
実施例５及び６によれば、片状構造体の耐熱性が向上する。
【００１４】
図７は、本考案の片状構造体を用いた平面角形の容器５ａを示す。  
容器５ａの底板６及び側壁７は、平板状の片状構造体で形成されている。なお、図示の容器５ａは、平面が矩形であるが、六角形、八角形等の多角形としても良い。  
図８に示す平面円形の容器５ｂにおいては、帯状の片状構造体を湾曲させると共に、その両端を凹凸嵌合構造９１により互いに接合して、円環状の側壁７を形成してある。なお、容器５ｂの平面形状を楕円形とすることもできる。  
図９に示す容器５ｃは、帯状の片状構造体を多角形に折り曲げると共に、その両端を凹凸嵌合構造９１により互いに接合して、側壁７を形成してある。
【図面の簡単な説明】
【００１５】
【図１】本考案の実施例１を示す片状構造体の断面図。
【図２】本考案の実施例２を示す片状構造体の断面図。
【図３】本考案の実施例３を示す片状構造体の断面図。
【図４】本考案の実施例４を示す片状構造体の断面図。
【図５】本考案の実施例５を示す片状構造体の断面図。
【図６】本考案の実施例６を示す片状構造体の断面図。
【図７】本考案の片状構造体を用いた容器の第１の実施態様を示す斜視図。
【図８】本考案の片状構造体を用いた容器の第２の実施態様を示す斜視図。
【図９】本考案の片状構造体を用いた容器の第３の実施態様を示す斜視図。
【符号の説明】
【００１６】
１  木片
２  ポリ乳酸層
３  食品用包装紙
４  高分子重合体層
５ａ，５ｂ，５ｃ  容器
６  底板
７  側壁
９１  凹凸嵌合構造
【図１】
0003138598.tif 000003
【図２】
0003138598.tif 000004
【図３】
0003138598.tif 000005
【図４】
0003138598.tif 000006
【図５】
0003138598.tif 000007
【図６】
0003138598.tif 000008
【図７】
0003138598.tif 000009
【図８】
0003138598.tif 000010
【図９】
0003138598.tif 000011